(57)【要約】【課題】複数の検体容器に貼付された識別ラベルを個々に読み取る手間を無くし、簡易に検体容器の識別を行うことができる識別ラベル等を提供する。【解決手段】  検体容器３０の収容部３１の端部に貼付位置表示１６を合わせて容器貼付部１を貼付し、依頼票のバーコード貼付欄７１に依頼票貼付部２を貼付する。検体容器３０の回収時、受け入れ時に、容器貼付部１のＩＣタグ１８が保持している識別情報を読み取り、検体容器３０の数、個々の検体容器３０の識別情報を確認する。【選択図】図１
2015001484.tif 000002
【特許請求の範囲】
【請求項１】
検体容器の長手方向に貼付する識別ラベルであって、
検体容器の長手方向に相当する向きに設けられ、固有の識別情報をバーコードで記載するバーコード表示欄と、前記検体容器の端部（開口部）方向の一端に設けられ前記識別情報に対応する情報を保持するＩＣタグと、前記検体容器の収容部の端部に相当する位置に貼付位置を示す貼付位置表示を有する容器貼付部
を備えることを特徴とする識別ラベル
【請求項２】
前記容器貼付部毎に、
前記固有の識別情報を２次元バーコードで記載するバーコード表示欄を有し使用時に依頼票に貼付する依頼票貼付部を備えることを特徴とする請求項１記載の識別ラベル
【請求項３】
検体容器の長手方向に相当する向きに設けられ、固有の識別情報をバーコードで記載するバーコード表示欄と、前記検体容器の端部（開口部）方向の一端に設けられ前記識別情報に対応する情報を保持するＩＣタグと、前記検体容器の収容部の端部に相当する位置に貼付位置を示す貼付位置表示を有する容器貼付部と、前記固有の識別情報を２次元バーコードで記載するバーコード表示欄を有する依頼票貼付部とを備える識別ラベルの容器貼付部を検体容器に貼付し、
前記識別ラベルの依頼票貼付部（２次元バーコード）を当該依頼票貼付部を貼付するバーコード貼付欄と検査内容を記載する検査内容記載欄を有する依頼票に依頼票に貼付し、
依頼票からバーコード貼付欄に貼付された依頼票貼付部の識別情報と検査内容記載欄に記載された検査内容を読み取り、読み取った識別情報と前記検査内容を対応付けて依頼データを生成し、
検体容器に貼付された容器貼付部のＩＣタグに格納された識別情報を読み取り、読み取った識別情報と前記依頼データと突合させて受け入れチェックを行う
ことを特徴とする検体検査方法
【請求項４】
前記依頼票に、複数のバーコード貼付欄と各々のバーコード貼付欄に対応する検査内容記載欄を設け、
一つの依頼票に複数の依頼票貼付部を貼付することを特徴とする請求項３記載の検体検査方法
【発明の詳細な説明】
【技術分野】
【０００１】
本発明は、例えば被験者の血液や尿等の検体を入れる検体容器に貼付し、個々の検体（検体容器）を識別するための識別情報が付された識別ラベル等に関する。
【背景技術】
【０００２】
被験者の血液や尿等の検体の検査は、これらの検体を検体容器に注入し、個々の検体（検体容器）を識別するための識別情報が付された識別ラベルを貼付し、検体容器に貼付された識別ラベルの識別情報と同一の識別情報と、被験者の名前、検査内容等を記載した依頼票（伝票）と共に、検査機関に移送する。
【０００３】
この際に、検体容器と依頼票を突合せ、数と対応関係をチェックする必要があり、バーコードリーダー等を用いてチェックする（例えば特許文献１）。
【０００４】
また、検体容器側面にＩＣタグを取り付け、個々の検体容器を識別する技術も提案されている（例えば特許文献２）。
【先行技術文献】
【特許文献】
【０００５】
【特許文献１】特開２００８−２６４０６６号公報
【特許文献２】特開２００４−８９５０３号公報
【発明の概要】
【発明が解決しようとする課題】
【０００６】
上述のように、検体容器に貼付された識別情報をバーコードリーダー等を用いて読み取る場合には、検体容器毎（依頼票毎）に読み取る必要があり、検体容器の数が多くなると手間が大変だった
【０００７】
また、検体容器の側面にＩＣタグを取り付けた場合には、例えば多くの検体容器をラックに収容した状態で検出しようとすると、読み取り装置との位置関係によっては、正確に読み取ることができず、検体容器の配置を変えたりして、結果的に手間がかかることになっていた。
【０００８】
このため、本発明は、簡易に検体容器の識別を行うことができる識別ラベル等を提供することを目的とする。
【課題を解決するための手段】
【０００９】
上述の課題を解決するために、本発明の識別ラベルは、検体容器の長手方向に貼付する識別ラベルであって、検体容器の長手方向に相当する向きに設けられ、固有の識別情報をバーコードで記載するバーコード表示欄と、検体容器の端部（開口部）方向の一端に設けられ識別情報に対応する情報を保持するＩＣタグと、検体容器の収容部の端部に相当する位置に貼付位置を示す貼付位置表示を有する容器貼付部を備えている。
【００１０】
この識別ラベルでは、使用時に、貼付位置表示を検体容器の収容部の端部に相当させて貼付する。一般に、検体容器の蓋部の外径は、収容部の外径より大きくなっており、このような位置に容器貼付部を貼付することにより、容器貼付部の先端のＩＣタグが設けられた部分が検体容器の外側に若干折れ曲がる。
【００１１】
このような識別ラベルが貼付された検体容器の回収時には、読み取り装置でＩＣタグに格納された識別情報を読み取る。
【００１２】
また、本発明の識別ラベルは、容器貼付部毎に、固有の識別情報を２次元バーコードで記載するバーコード表示欄を有し使用時に依頼票に貼付する依頼票貼付部を備えている。
【００１３】
この識別ラベルは、使用時に、容器貼付部を検体容器に貼付し、依頼票貼付部を依頼票に貼付して使用する。
【発明の効果】
【００１４】
本発明に係る識別ラベルを用いることにより、複数のＩＣタグが存在する場合であっても、同時に読み取り装置で読み取ることができ、個々の検体容器毎に読み取る必要がなく、検体容器の数が多くなっても簡易に読み取ることができる。
【００１５】
さらに、この識別ラベルでは、容器貼付部の先端のＩＣタグが設けられた部分が検体容器の外側に若干折れ曲がるため、検体容器の上下方向の読み取り感度を向上させることができ、アンテナのサイズを小さくしたり、ＩＣタグにアンテナが内蔵されている場合には外部のアンテナを不要としたりすることができ、小型化に寄与することができる。
【００１６】
また、本発明に係る識別ラベルは、依頼票貼付部のバーコード表示欄に２次元バーコードで識別情報を記載しているため、容器貼付部に比較して、依頼票貼付部の面積を小さくすることができ、複数の依頼票貼付部を１つの依頼票に貼付することも可能となり、業務効率の向上に寄与することができる。
【図面の簡単な説明】
【００１７】
【図１】本発明を適用した実施例１に係る識別ラベルの構成を示す平面図である。
【図２】実施例１に係る識別ラベルの構成を示す断面図である。
【図３】実施例１に係る識別ラベルのアンテナ・ＩＣタグの構成を示す平面図である。
【図４】実施例１に係る識別ラベルのアンテナ・ＩＣタグの構成を示す断面図である。
【図５】実施例１に係る識別ラベルの使用方法を示す平面図である。
【図６】実施例１に係る識別ラベルの使用方法を示す断面図である。
【図７】実施例１に係る識別ラベルの使用方法を示す平面図である。
【図８】実施例１に係る識別ラベルの使用方法を示す断面図である。
【図９】実施例１に係る識別ラベルの使用方法を示す斜視図である。
【図１０】実施例１に係る識別ラベルを用いた検査方法を示す概念図である。
【図１１】実施例１に係る識別ラベルの使用方法を示す斜視図である。
【図１２】実施例１に係る識別ラベルの使用方法を示す上面図である。
【図１３】実施例１に係る識別ラベルの使用方法を示す側面図である。
【図１４】実施例１に係る識別ラベルの依頼票貼付部を貼付する依頼票の例を示す側面図である。
【図１５】実施例１に係る識別ラベルの依頼票貼付部を貼付する依頼票の例を示す側面図である。
【図１６】実施例１に係る識別ラベルの使用方法を示す概念図である。
【図１７】実施例１に係る識別ラベルの使用方法を示す側面図である。
【図１８】本発明を適用した実施例２に係る識別ラベルの構成を示す平面図である。
【図１９】実施例２に係る識別ラベルの構成を示す断面図である。
【図２０】本発明を適用した実施例３に係る識別ラベルの構成を示す平面図である。
【図２１】実施例３に係る識別ラベルの構成を示す平面図である。
【図２２】実施例３に係る識別ラベルの構成を示す断面図である。
【図２３】本発明を適用した実施例４に係る識別ラベルの構成を示す平面図である。
【図２４】実施例４に係る識別ラベルの構成を示す断面図である。
【図２５】実施例４に係る識別ラベルの使用方法を示す平面図である。
【図２６】実施例４に係る識別ラベルの使用方法を示す断面図である。
【図２７】実施例４に係る識別ラベルの使用方法を示す斜視図である。
【図２８】本発明を適用した実施例５に係る識別ラベルの構成を示す平面図である。
【図２９】実施例５に係る識別ラベルの構成を示す断面図である。
【図３０】実施例４に係る識別ラベルの使用方法を示す斜視図である。
【発明を実施するための形態】
【００１８】
以下、例えば本発明を、例えば血液、尿等の検体を入れる検体容器に貼付する識別ラベルに適用した実施形態について説明する。
【実施例１】
【００１９】
（構成）
本発明の実施例１に係る識別ラベルは、例えば図１及び図２に示すように、採血管等の検体容器に貼付する容器貼付部１と、依頼票に貼付する依頼票貼付部２と、これらの容器貼付部１及び依頼票貼付部２が貼付された台紙３とを備えている。
【００２０】
容器貼付部１の表面には、バーコードを記載するバーコード表示欄１１と、バーコード表示欄１１に記載されているバーコードに対応する識別情報を文字として表示する識別情報表示欄１２と、例えば「負荷」等の採血状況等を示す付記情報を記載する付記情報記載欄１３と、被験者の氏名を記載する氏名記載欄１４と、容器貼付部１を検体容器に貼付する際の位置を表示する貼付位置表示１６とが設けられている。
【００２１】
また、依頼票貼付部２の表面には、２次元バーコードを記載するバーコード表示欄２１と、バーコード表示欄２１に記載されているバーコードに対応する識別情報を文字として表示する識別情報表示欄２２と、例えば「負荷」等の採血状況等を示す付記情報を記載する付記情報記載欄２３とが設けられている。バーコード表示欄２１に記載されるバーコードは２次元のものであるため、バーコード表示欄２１の面積は、容器貼付部１のバーコード表示欄１１より小さな面積とすることができる。
【００２２】
また、例えば図２にその断面図を示すように、容器貼付部１は、上述のバーコード表示欄１１〜氏名記載欄１４及び貼付位置表示１６が印刷あるいは記載される表示層１０と、検体容器に貼付する粘着層１９とを備えている。同様に、依頼票貼付部２は、表示層２０と粘着層２９とを備えている。なお、この図２では、各層１０、１９、２０、２９等の厚さを誇張して示してある。容器貼付部１の一端の表示層１０と粘着層１９の間には、アンテナ１７と、ＩＣタグ１８とが埋め込まれている。
【００２３】
アンテナ１７は、例えば図３及び図４に示すように、表示層１０の裏面（粘着層１９側）に形成され、ＩＣタグ１８に接続されている。このアンテナ１７は、銅あるいはアルミニウムの薄膜で構成してもよいし、導電性の素材を印刷して形成してもよい。また、アンテナ１７とＩＣタグ１８の接続は、ボンディングでもよいし、単に接触させるだけでもよい。なお、アンテナ１７の形状は一例であり、この形状に限定されるものではなく、読み取り装置（リーダー）との間の通信に支障がない形状であればよい。さらに、感度の面で許せば、アンテナ１７を設けない構成も可能である。
【００２４】
また、ＩＣタグ１８には、バーコード表示欄１１及び識別情報表示欄１２に表示された識別情報と同じ識別情報が書き込まれており、この識別情報を読み取り装置（リーダー）から無線で読み取ることができるようになっている。この識別情報は、検査機関において個々の検体容器３０を識別することができればよく、例えば１２〜１３桁程度の番号とすることができる。この番号は、各医療機関等に特定の範囲を割り当てるようにしておき、回収時に番号の正当性を確認するようにしてもよい。
【００２５】
（使用方法）
このように構成された識別ラベルは、検体容器３０に容器貼付部１を貼付して使用する。検体容器３０には、例えば図５（図６）及び図７（図８）に示すように、いくつかの長さのものが存在するが、同図中に示すように、容器貼付部１の貼付位置表示１６が検体容器３０の収容部３１の上端（開口部）に相当する位置で貼付する。
【００２６】
一般に、蓋部３２の外径は、収容部３１の外径より大きくなっており、このような位置に容器貼付部１を貼付することにより、例えば図６、図８、図９に示すように、容器貼付部１の先端のアンテナ１７、ＩＣタグ１８が埋め込まれた部分が検体容器３０の外側に若干折れ曲がる。すなわち、アンテナ１７のパターン面が収容部３１の管壁に対して水平な状態から若干蓋部３２の上に向いた状態になる。これにより、検体容器３０の上下方向に対する読み取り感度が向上する。これにより、アンテナ１７のサイズを小さくしたり、ＩＣタグ１８にアンテナが内蔵されている場合にはアンテナ１７を不要としたりすることができ、小型化に寄与することができる。
【００２７】
図１０は、このような識別ラベルを用いた検体の検査方法を概念的に示す図である。
まず、医療機関等において検体容器３０に検体を注入する際に、収容部３１の上端に相当する位置に容器貼付部１を貼付し、この容器貼付部１に対応する依頼票貼付部２を依頼票に貼付し、検査内容を依頼票に記載する。
【００２８】
医療機関等において検体容器３０に注入された検体は検査内容等が記載された依頼票と共に回収されて、営業所等の集積所に集められ、ラック４０等に入れて検査機関に移送される。また、集積所では、依頼票の記載と検体容器３０に貼付された容器貼付部１のＩＣタグ１８から読み取った識別情報とを対応付けて、検査の内容等を示す依頼データを作成し、検査機関に送る。送り方は、記憶媒体に格納して検体容器３０と一緒に移送してもよいし、ネットワーク経由で送信するようにしてもよい。
【００２９】
検査機関では、受領した検体容器３０のＩＣタグ１８の識別情報を読み取り、依頼データの情報と照合して、数量、識別情報の対応関係等のチェック（受け入れチェック）を行う。この後、依頼データに応じて検査の管理を行い、検査結果をデータ化して結果データとして集積所に送る。集積所では、結果データを出力して検査結果として医療機関等に送付する。
【００３０】
医療機関等では、例えば図１１に示すように、複数の検体容器３０を立てた状態で保管している。このような検体容器３０の回収時には、例えば携帯型の読取装置（リーダー）で各検体容器３０のＩＣタグ１８の識別情報を読み取る。この際、例えば図１２に示すように、検体容器３０の向きは一定でないため、例えば図１３に示すように、リーダー５０を検体容器３０の上にかざして読み取りを行う。この際、個々の検体容器３０毎に読み取りを行う必要はなく、一括して読み取りを行うことができるため、簡易に読み取りを行うことができる。
【００３１】
各検体容器３０に貼付された容器貼付部１のＩＣタグ１８部分は、上述のように、各検体容器３０の上部に配置されているため、各検体容器３０の上からリーダー５０による読み取りを行う際の、読み取り感度が高くなっている。これにより、読み取りの確実性を向上させることができる。
【００３２】
また、上述のように、依頼票貼付部２は、検査機関に対する処理を依頼する際の依頼票等に貼付する。依頼票には、例えば１４に示すように、容器貼付部１に対応する依頼票貼付部２を貼付するバーコード貼付欄７１と、被験者の氏名を記載する氏名記載欄７２と、検査内容を記載する検査内容記載欄７３等が設けられている。上述のように、依頼票貼付部２のバーコード表示欄２１には２次元バーコードが記載されているため依頼票貼付部２の面積は容器貼付部１に比較して小さい。このため、依頼票は、１つの検体に対して１つである必要はなく、例えば図１５に示すように、複数の容器貼付部１に対応する依頼票貼付部２を１つの依頼票に貼付するようにしてもよい。この場合、依頼票貼付部２を貼付するバーコード貼付欄８１毎に、氏名記載欄８２と検査内容記載欄８３を設ける。これにより、依頼票の枚数を低減させることができ、業務効率の向上に寄与することができる。
【００３３】
検査機関に移送する際には、例えば図１６に示すように、ラック４０等に検体容器３０を入れて移送する。このラック４０は、例えば図１７に示すように、検査機関内でベルトコンベアー６０等による搬送等にも用いられる。このようなラック４０に入れられた複数の検体容器３０に貼付された容器貼付部１のＩＣタグ１８の識別情報は、これらの検体容器３０の上に配置された読み取り装置７０によって読み取られる。この際、個々の検体容器３０毎に読み取りを行う必要はなく、一括して読み取りを行うことができるため、簡易に読み取りを行うことができる。
【００３４】
各検体容器３０に貼付された容器貼付部１のＩＣタグ１８部分は、上述のように、各検体容器３０の上部に配置されているため、各検体容器３０の上からリーダー７０による読み取りを行う際の、読み取り感度が高くなっている。これにより、読み取りの確実性を向上させることができる。
【実施例２】
【００３５】
本発明の実施例２に係る識別ラベルは、例えば図１８及び図１９に示すように、実施例１の識別ラベルの容器貼付部１に、検査を行う検査機関を表示する検査機関表示欄１５を設け、依頼票貼付部２に、検査機関表示欄２５を設けている。このような識別ラベルを用いることにより、実施例１の効果に加えて、複数の検査機関がある場合でも、目視により、容易に検査機関を確認することができる。
【００３６】
さらに、各検査機関毎に識別情報を特定の番号の範囲を割り当てて管理することにより、集積所等において読み取ったＩＣタグ１８の識別番号に応じて移送先の選択を容易に行うことができる。
【実施例３】
【００３７】
本発明の実施例３に係る識別ラベルは、例えば図２０〜図２２に示すように、実施例１の識別ラベルの容器貼付部１と依頼票貼付部２が２層に貼付された状態となっている。このようなラベルを用いても、容器貼付部１の貼付位置表示１６が検体容器３０の収容部３１の上端に相対するように貼付することにより、実施例１と同様の効果を得ることができる。
【実施例４】
【００３８】
本発明の実施例４に係る識別ラベルは、例えば図２３及び図２４に示すように、実施例１の識別ラベルの容器貼付部１の貼付位置表示１６の上の長さが、検体容器３０の蓋部３２の高さ分長くなっている。
【００３９】
このように構成された識別ラベルは、検体容器３０に容器貼付部１を貼付して使用する。検体容器３０には、例えば図２５〜図２７に示すように、容器貼付部１の貼付位置表示１６が検体容器３０の収容部３１の上端（開口部）に相当する位置で貼付する。
【００４０】
さらに、図２６に示すように、蓋部３２の上端より突出した容器貼付部１の先端部は蓋部３２の中心に向かって折り返す。これにより、アンテナ１７及びＩＣタグ１８が埋め込まれた部分が収容部３１の管壁に対して若干傾いた状態となり、検体容器３０の上からの読み取り感度が向上する。従って、実施例１と同様の効果を得ることができる。
【実施例５】
【００４１】
本発明の実施例５に係る識別ラベルは、例えば図２８及び図２９に示すように、実施例１の識別ラベルの貼付位置表示１６の両端に切り欠き部１Ａを有している。
【００４２】
このような構成の識別ラベルを、検体容器３０の収容部３１と蓋部３２の境界に貼付位置表示１６を合わせて貼付すると、容器貼付部１の先端部がアンテナ１７の張力によって平面状にに維持され、例えば図３０に示すように、容器貼付部１の先端部が、蓋部３２の周囲から離れる方向に曲がった状態となり、検体容器３０の上からの読み取り感度がさらに向上する。
【符号の説明】
【００４３】
１  容器貼付部
２  依頼票貼付部
１１  バーコード表示欄
１６  貼付位置表示
１８  ＩＣタグ
２１  バーコード表示欄
３０  検体容器
３１  収容部
３２  蓋部
７１  バーコード貼付欄
７３  検査内容記載欄
【図１】
2015001484.tif 000003
【図２】
2015001484.tif 000004
【図３】
2015001484.tif 000005
【図４】
2015001484.tif 000006
【図５】
2015001484.tif 000007
【図６】
2015001484.tif 000008
【図７】
2015001484.tif 000009
【図８】
2015001484.tif 000010
【図９】
2015001484.tif 000011
【図１０】
2015001484.tif 000012
【図１１】
2015001484.tif 000013
【図１２】
2015001484.tif 000014
【図１３】
2015001484.tif 000015
【図１４】
2015001484.tif 000016
【図１５】
2015001484.tif 000017
【図１６】
2015001484.tif 000018
【図１７】
2015001484.tif 000019
【図１８】
2015001484.tif 000020
【図１９】
2015001484.tif 000021
【図２０】
2015001484.tif 000022
【図２１】
2015001484.tif 000023
【図２２】
2015001484.tif 000024
【図２３】
2015001484.tif 000025
【図２４】
2015001484.tif 000026
【図２５】
2015001484.tif 000027
【図２６】
2015001484.tif 000028
【図２７】
2015001484.tif 000029
【図２８】
2015001484.tif 000030
【図２９】
2015001484.tif 000031
【図３０】
2015001484.tif 000032